【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
加熱により膨張する膨張層を含む媒体に形成する電磁波熱変換層の形成パターンである第１パターンを構成する複数の部分それぞれの情報を取得し、
前記複数の部分のうちの少なくとも１つの部分に対応する形成パターンに前記電磁波熱変換層を形成するか否かの設定の入力を受け付ける入力画面を表示部に表示し、
入力を受け付けた前記設定に基づき、前記少なくとも１つの部分に対応する形成パターンに前記電磁波熱変換層を形成すると設定されている場合には当該少なくとも１つの部分を含む前記第１パターンを生成し、当該少なくとも１つの部分に対応する形成パターンに前記電磁波熱変換層を形成しないと設定されている場合には当該少なくとも１つの部分を含まない前記第１パターンを生成する、
ことを特徴とするパターン設定方法。
【請求項２】
前記少なくとも１つの部分の前記情報が予め定めた第１の情報を含む場合に、前記入力画面を前記表示部に表示する、
ことを特徴とする請求項１に記載のパターン設定方法。
【請求項３】
前記少なくとも１つの部分は、点字部分、及び、媒体に記録された情報を読取る際に該媒体を持つ向きを指定するマーク部分のいずれか一つの部分を含む、
ことを特徴とする請求項１又は２に記載のパターン設定方法。
【請求項４】
前記複数の部分は、前記いずれか一つの部分と、当該いずれか一つの部分が付随する情報を表示する主要部分と、を含み、
前記主要部分を拡大又は縮小したパターンを含む前記第１パターンを生成する場合、前記いずれか一つの部分を含まないパターンを生成し、次いで、生成した当該いずれか一つの部分を含まないパターンを拡大又は縮小して前記第１パターンを生成する、
ことを特徴とする請求項３に記載のパターン設定方法。
【請求項５】
前記いずれか一つの部分を含まない前記第１パターンを生成する場合、当該いずれか一つの部分の隙間を埋めるように、前記媒体に画像層を形成するための第２パターンのうちの少なくとも一部を移動させる、
ことを特徴とする請求項３又は４に記載のパターン設定方法。
【請求項６】
前記媒体に画像層を形成するための第２パターンの情報を取得し、
前記画像層に背景部分を形成するか否かの設定の入力を受け付ける入力画面を表示部に表示し、
入力を受け付けた前記設定に基づき、前記背景部分を前記画像層に形成すると設定されている場合には当該背景部分を含む前記第２パターンを生成する、
ことを特徴とする請求項１乃至５の何れか一項に記載のパターン設定方法。
【請求項７】
加熱により膨張する膨張層を含む媒体に形成する電磁波熱変換層の形成パターンである第１パターンを構成する複数の部分それぞれの情報を取得する取得部と、
前記複数の部分のうちの少なくとも１つの部分に対応する形成パターンに前記電磁波熱変換層を形成するか否かの設定の入力を受け付ける入力画面を表示部に表示する表示制御部と、
入力を受け付けた前記設定に基づき、前記少なくとも１つの部分に対応する形成パターンに前記電磁波熱変換層を形成すると設定されている場合には当該少なくとも１つの部分を含む前記第１パターンを生成し、当該少なくとも１つの部分に対応する形成パターンに前記電磁波熱変換層を形成しないと設定されている場合には当該少なくとも１つの部分を含まない前記第１パターンを生成するパターン生成部と、
を備えることを特徴とするパターン設定装置。
【請求項８】
取得部、表示制御部、及びパターン生成部を備えるコンピュータにより実行されるプログラムであって、
前記コンピュータを、
加熱により膨張する膨張層を含む媒体に形成する電磁波熱変換層の形成パターンである第１パターンを構成する複数の部分それぞれの情報を、前記取得部を用いて取得させ、
前記複数の部分のうちの少なくとも１つの部分に対応する形成パターンに前記電磁波熱変換層を形成するか否かの設定の入力を受け付ける入力画面を、前記表示制御部を用いて表示部に表示させ、
入力を受け付けた前記設定に基づき、前記パターン生成部を用いて、前記少なくとも１つの部分に対応する形成パターンに前記電磁波熱変換層を形成すると設定されている場合には当該少なくとも１つの部分を含む前記第１パターンを生成させ、当該少なくとも１つの部分に対応する形成パターンに前記電磁波熱変換層を形成しないと設定されている場合には当該少なくとも１つの部分を含まない前記第１パターンを生成させる、
ように機能させることを特徴とするパターン設定プログラム。
【請求項９】
加熱により膨張する膨張層を含む媒体に形成する電磁波熱変換層の形成パターンである第１パターンを構成する複数の部分それぞれの情報を取得し、
前記複数の部分のうちの少なくとも１つの部分に対応する形成パターンに前記電磁波熱変換層を形成するか否かの設定の入力を受け付ける入力画面を表示部に表示し、
入力を受け付けた前記設定に基づき、前記少なくとも１つの部分に対応する形成パターンに前記電磁波熱変換層を形成すると設定されている場合には当該少なくとも１つの部分を含む前記第１パターンを生成し、当該少なくとも１つの部分に対応する形成パターンに前記電磁波熱変換層を形成しないと設定されている場合には当該少なくとも１つの部分を含まない前記第１パターンを生成し、
前記第１パターンに基づき前記電磁波熱変換層を形成し、
前記電磁波熱変換層に電磁波を照射する、
ことを特徴とする構造物製造方法。
【請求項１０】
加熱により膨張する膨張層を含む媒体に形成する電磁波熱変換層の形成パターンである第１パターンを構成する複数の部分それぞれの情報を取得する取得部と、
前記複数の部分のうちの少なくとも１つの部分に対応する形成パターンに前記電磁波熱変換層を形成するか否かの設定の入力を受け付ける入力画面を表示部に表示する表示制御部と、
入力を受け付けた前記設定に基づき、前記少なくとも１つの部分に対応する形成パターンに前記電磁波熱変換層を形成すると設定されている場合には当該少なくとも１つの部分を含む前記第１パターンを生成し、当該少なくとも１つの部分に対応する形成パターンに前記電磁波熱変換層を形成しないと設定されている場合には当該少なくとも１つの部分を含まない前記第１パターンを生成するパターン生成部と、
前記第１パターンに基づき前記電磁波熱変換層を形成する電磁波熱変換層形成部と、
前記電磁波熱変換層に電磁波を照射する照射部と、
を備えることを特徴とする構造物製造システム。
【請求項１１】
取得部、表示制御部、及びパターン生成部を有するコンピュータと電磁波熱変換層形成部と照射部とを備える構造物製造システムの前記コンピュータにより実行されるプログラムであって、
前記コンピュータを、
加熱により膨張する膨張層を含む媒体に形成する電磁波熱変換層の形成パターンである第１パターンを構成する複数の部分それぞれの情報を、前記取得部を用いて取得させ、
前記複数の部分のうちの少なくとも１つの部分に対応する形成パターンに前記電磁波熱変換層を形成するか否かの設定の入力を受け付ける入力画面を、前記表示制御部を用いて表示部に表示させ、
入力を受け付けた前記設定に基づき、前記パターン生成部を用いて、前記少なくとも１つの部分に対応する形成パターンに前記電磁波熱変換層を形成すると設定されている場合には当該少なくとも１つの部分を含む前記第１パターンを生成させ、当該少なくとも１つの部分に対応する形成パターンに前記電磁波熱変換層を形成しないと設定されている場合には当該少なくとも１つの部分を含まない前記第１パターンを生成させ、
前記第１パターンに基づき、前記電磁波熱変換層形成部を用いて前記電磁波熱変換層を形成させ、
前記電磁波熱変換層に、前記照射部を用いて電磁波を照射させる、
ように機能させることを特徴とする構造物製造プログラム。
【請求項１２】
加熱により膨張する膨張層を含む媒体に形成する電磁波熱変換層の形成パターンであって複数の画像レイヤーで構成される第１パターンの情報を取得する第１工程と、
前記複数の画像レイヤーのうちの一部の画像レイヤーについて前記電磁波熱変換層を形成しない設定を受け付けた場合には、当該一部の画像レイヤー以外の画像レイヤーを前記第１パターンとして形成する第２工程と、
前記第１パターンを拡大又は縮小する設定を受け付けた場合であって、かつ、前記第１パターンに点字が含まれる場合には、当該点字が含まれる画像レイヤーを前記複数の画像レイヤーから削除する第３工程と、
を有することを特徴とするパターン設定方法。
【請求項１３】
前記第１工程後に、前記点字が前記第１パターンに含まれているか否かの判断をする第４工程と、を有し、
前記第４工程後に、前記第２工程とともに前記第３工程を行うことを特徴とする請求項１２に記載のパターン設定方法。
【手続補正２】
【補正対象書類名】明細書
【補正対象項目名】００６１
【補正方法】変更
【補正の内容】
【００６１】
次いで、生成された第１パターンの拡大又は縮小設定が行われたか否かの判定が行われる（ステップＳ２７：拡大又は縮小設定判定工程）。この拡大又は縮小設定は、例えば図９に示す入力画面内で設定の入力が受け付けられればよい。
【手続補正３】
【補正対象書類名】明細書
【補正対象項目名】００６２
【補正方法】変更
【補正の内容】
【００６２】
拡大又は縮小設定が行われた場合（ステップＳ２７：ＹＥＳ）、点字、即ち、図１０（ｃ）及び図１１（ｃ）に示す点字又は図１２（ｃ）に示す点字・引き出し線が第１パターンに含まれるか否かが判定される（ステップＳ２８：点字有無判定工程）。この判定は、上述の設定対応部分判定工程Ｓ２２と同様に、例えば、上記のファイル名に所定の単語が含まれているか否かによって判定することができる。或いは、点字の画像のように、画像に含まれる印刷領域が予め定めたサイズよりも小さい場合に点字が含まれると判定してもよい。そして、点字が第１パターンに含まれていると判定すると（ステップＳ２８：ＹＥＳ）、上記の生成された第１パターンに含ませた点字の画像レイヤーが第１パターンから削除される（ステップＳ２９：点字削除工程）。この点字削除工程Ｓ２９は、主要部分の一例である表発泡主部を拡大又は縮小したパターンを含む第１パターンを生成する場合、点字を含まないパターンを生成し、次いで、生成した点字を含まないパターンを拡大又は縮小して第１パターンを生成する。なお、点字有無判定工程Ｓ２８は、上述のステップＳ２５，Ｓ２６のパターン作成工程の前に行うことで、点字削除工程Ｓ２９を、上述のステップＳ２５，Ｓ２６のパターン作成工程と同時に行うことができる。これにより、ステップＳ２５，Ｓ２６において一度合成した点字の画像レイヤーを拡大又は縮小に伴って削除するという処理を回避することができる。なお、詳しくは後述するが、点字有無判定工程Ｓ２８及び点字削除工程Ｓ２９では、点字のみならず右上マークも対象に同様に処理を行ってもよい。